(57)【要約】      （修正有）【課題】投射光線を投射方向へ確実に反射させて、反射物（文字、図形など）を遠方から認識しやすくする広告又はポスター等の再帰反射物を提供する。【解決手段】紙面１などに白下地２を塗布し、該白下地の上部へ再帰反射性ビーズを含むインク３によって文字又は図形を画いたものである。これによれば、文字又は図形のみが光輝性をもって、投射光線を反射し、認識効果を著しく向上させることができる。【選択図】図１
0003179064.tif 000002
【実用新案登録請求の範囲】
【請求項１】
ベース板上へ微小ビーズ入りインクで文字又は図形を画いたことを特徴とする再帰反射物。
【請求項２】
紙板上へ下地を塗布し、該下地上へ、微小ビーズ入りインクで文字又は図形を画いたことを特徴とする再帰反射物。
【請求項３】
下地は白色塗料としたことを特徴とする請求項２記載の再帰反射物。
【請求項４】
ビーズは大きさ０．０３５ｍｍ〜０．０５５ｍｍの無職透明のガラスビーズとしたことを特徴とする請求項１又は２記載の再帰反射物。
【請求項５】
インクは印刷用インクとし、インク量とビーズ量を等量（容量）としたことを特徴とする請求項１又は２記載の再帰反射物。
【請求項６】
ビーズの形状は球状としたことを特徴とする請求項１又は２記載の再帰反射物。
【請求項７】
微小ビーズ入りインクに代えてビーズを含むシートを用いたことを特徴とする請求項１又は２記載の再帰反射物。
【考案の詳細な説明】
【技術分野】
【０００１】
この考案は、投射光線に対し、再帰反射性を有する文字、図形等を印刷し、前記文字、図形等を見やすくすることを目的とした広告又はポスター等の再帰反射物に関する。
【背景技術】
【０００２】
従来広告又はポスター等においては、再帰反射について考慮されていなかったので、公告又は認識効果が低く、その効果を向上させる方策は採用されていなかった。
【先行技術文献】
【特許文献】
【０００３】
【特許文献１】特開平５−６６７２０号公報
【特許文献２】特開平６−６７３０７号公報
【特許文献３】実開平５−８５５７号公報
【考案の概要】
【考案が解決しようとする課題】
【０００４】
従来、再帰反射に対しては、裏面に反射部を有する紡錘形のガラス又はプラスチック部材を平面上に向きを揃えて配列する発明が知られている（特許文献１）。
【０００５】
また、蒸着フィルムの表面に複数のビーズを固定して再帰反射層を設けるスクリーンが知られている（特許文献２）。
【０００６】
さらに、プラスチックフィルムの表面にガラスビーズ層を設けたスクリーンも知られている（特許文献３）。
【０００７】
前記特許文献に記載のものは何れもスクリーンに関するものであって、全面的に再帰反射性を付与させたもので、それぞれ効果を発揮しているが、文字又は図形のみを明るく反射し、遠方から認識させるようにしたものではない。
【課題を解決するための手段】
【０００８】
然るにこの考案は、紙面などに白下地を塗布し、該白下地の上部へ再帰反射性ビーズを含むインクによって文字又は図形を画いたものである。
【０００９】
前記によれば、文字又は図形のみが光輝性をもって、投射光線を反射し、認識効果を著しく向上させることができる。
【００１０】
例えば、白地に書いた赤い文字（例えば大きさ１０ｃｍ、太さ１０ｍｍ）は、通常の視力で３０ｍの距離から認識することができた。前記においてビーズが含まれない場合、光を照射しても１０ｍの距離で前記文字が見えなくなった。
【００１１】
前記におけるビーズの大きさは特定しないが、０．０３５ｍｍ〜０．０５５ｍｍが好ましい。ビーズが前記より大きくなると反射面が粗くなり、小さくなると再帰反射効果が現れにくくなる。
【００１２】
また、前記ビーズの量は、インクに対し、１：１（容量）が好ましい。前記ビーズ量が多くなるとビーズに重なりを生じるおそれがあり、少なくなると再帰反射量が少なくなるおそれがある。即ち、ビーズ量の上限は、通常の印刷に支障をきたさない最大量が上限となる。
【考案の効果】
【００１３】
この考案によれば、文字などの情報を特に伝えたい部分のみ再帰反射するので、全面反射と異なり、文字などの特定の情報を、照明が不十分な場合又は遠方からでも正確に伝達することができる効果がある。
【図面の簡単な説明】
【００１４】
【図１】（ａ）この考案の実施例の一部を省略した平面図、（ｂ）同じく一部断面拡大図。
【考案を実施するための形態】
【００１５】
この考案の再帰反射物は、例えば選挙用ポスター、腕章、たすき、又はその他室外に展示する印刷物を想定しているので、比較的遠方からでも視認可能で、照明の少ない場所でも前記ポスター等に光が当たれば正確に認識されることが好ましい。
【００１６】
前記は主として選挙用ポスターについて述べたが、一般広告、看板などに使用すれば認識率を著しく向上させることができる。従って、この考案の再帰性反射物には、前記ポスター、広告、腕章、たすき、又は各種案内表示など広く有効に使用することができる。特に、距離が遠い、あるいは光線量不足（夕方、照明不足など）の場合にもポスター等の認識効果を向上させることができる。前記におけるたすきなどは、反射ビーズを含む表示部を有するシートを用いる場合もある。
【００１７】
この考案では、ベース板上へ、ビーズ入りインクで文字、図形を画くことを基本としている。前記ベース板としては、紙板、フィルム又は織布などがあるが、紙、合成樹脂フィルムが多用される。
【００１８】
この考案は、再帰反射性を付与した反射物として、ビーズ入りインクで文字又は図形を画いたものであるが、要は再帰反射性を有するものであれば何れもこの考案に属する。例えば、ビーズでなくても反射光が強く、鏡面反射する線、文字など遠方から認識できるものはこの考案に属する。ガラス又はガラス質による反射線を多数集合して文字、図形を形成させることもできる。
【実施例１】
【００１９】
この考案の実施例を図面に基づいて説明する。紙片１の文字印刷部へ白色下地２を塗布し、白色下地２の上部へ、ビーズ４を含ませた印刷インクで文字３を印刷する。前記において、印刷インクとビーズ４の量はそれぞれ等量（１：１）用いる。
【００２０】
ビーズ４の大きさは０．０３５ｍｍ〜０．０５５ｍｍが好ましいが、０．１ｍｍでも使用できる。専ら文字を書く上での規制であり限定はない。また、同一粒径ではないが、微細であるために再帰反射性はほぼ一定している。
【００２１】
前記において、白色下地２を省くと、紙片１の平面性が悪くなってビーズ４自体が紙片１の凹部へ入り込むおそれがあり、これによる反射効率の低下は５０％に及ぶことがある。従って、白色下地２を設けることは必須要件となるが、彩色は白色に限定するものではない。また、下地によっては、平面性が良好でビーズを吸収するおそれがない場合には下地を省くことがある。
【００２２】
前記のように、白色下地２はビーズ４を紙片１の凹部への埋設を防止する他に、紙片１の平面性を向上させると共に、反射性を向上させることができる。また、ビーズ４を小粒にしたので、文字の平面性が保たれ、反射光の均質性を保持し、同じ強さの反射光となって文字部分が強く反射し、遠方からの認識が容易となる。即ち、通常印刷のポスターに比し、この考案のポスターは文字が明確に認識できるので公告効果が大きい。また、夕方など薄暗くなった場合においても、光線の照射によって文字を明確に認識することができる。前記はポスターについて説明したが、看板も同様である。
【００２３】
前記のように、この考案による文字又は図形などは、投射光線があれば確実に反射して認識効率を著しく向上させることができるので、多数の広告などが貼られた場所でも目立ちやすく、認識しやすいので、広告等の効果を著しく向上させることができる。
【００２４】
即ち、目立ちやすくして見落としを少なくすると共に、認識効率を向上して容易に目的を達成させることができる。
【００２５】
この考案は、広告、看板その他の表示物に使用し、認識効果を向上させることができる。
【００２６】
前記におけるビーズは、通常無色透明のガラスビーズであるが、任意の色に着色することもある。この場合には、着色光を反射する。また、インクの色彩を反射することになるので、一般にビーズは無色透明が好ましい。
【００２７】
ビーズの大きさについては、厳密な制限はないけれども、実用上印刷又は塗布に支障をきたさない大きさが要件となるので、ビーズの大きさ及びインクの容量との関係上自ずから制約がある。
【００２８】
即ち、ビーズが少なすぎると反射に不均一性が現れ、多すぎると印刷に支障をきたすおそれがあるので、ビーズの量は自ずから定まる（等量が無難であり、差があっても１０％以内が好ましい）。また、反射ビーズを含むシートを使用することもある。要は反射させたい文字、図形その他のものにはビーズを用いる。
【符号の説明】
【００２９】
１  紙片
２  白色下地
３  文字
４  ビーズ
【図１】
0003179064.tif 000003